(57)【特許請求の範囲】
【請求項１】
複数のテレビ放送方式に対応できる複数の受信手段を用いて、該複数の受信手段における１の受信手段を制御して選局周波数の検出を行う手順と、
前記複数の受信手段における他の受信手段を制御して前記検出された選局周波数で受信動作を行い、該検出された選局周波数における前記テレビ放送方式の判別を、前記１の受信手段による新たな選局周波数の検出と並行して行う手順と、
前記選局周波数の検出結果と該検出された選局周波数における前記テレビ放送方式の判別結果を対応させて、プリセット情報として記憶手段に記憶させる手順とを有する
ことを特徴とするプリセット方法。
【請求項２】
複数のテレビ放送方式に対応できる複数の受信手段と、
テレビ放送方式の判別を行う放送方式判別手段と、
前記複数の受信手段における１の受信手段を制御して選局周波数の検出を行い、前記複数の受信手段における他の受信手段を制御して前記検出された選局周波数で受信動作を行い、該検出された選局周波数におけるテレビ放送方式を前記放送方式判別手段によって判別するテレビ放送方式判別を、前記１の受信手段による新たな選局周波数の検出と並行して行わせる制御手段と、
前記選局周波数の検出結果と該検出された選局周波数における前記テレビ放送方式の判別結果を対応させて、プリセット情報として記憶する記憶手段を有する
ことを特徴とする選局装置。
【発明の詳細な説明】
【技術分野】
【０００１】
この発明は、プリセット方法と選局装置に関する。詳しくは、複数のテレビ放送方式に対応できる複数の受信手段を用いて、この複数の受信手段における何れかの受信手段を制御して選局周波数の検出を行い、複数の受信手段における他の受信手段を制御して、この検出された選局周波数で受信動作を行い、検出された選局周波数におけるテレビ放送方式の判別を選局周波数の検出と並行して行い、選局周波数の検出結果と検出された選局周波数におけるテレビ放送方式の判別結果を対応させて、プリセット情報として記憶手段に記憶させるものである。
【背景技術】
【０００２】
テレビ放送方式では、各国毎にテレビシステムやカラー方式が規定されている。例えば、日本のテレビ放送方式では、テレビシステムとしてＭ方式，カラー方式としてＮＴＳＣ方式が用いられており、英国では、テレビシステムとしてＩ方式，カラー方式としてＰＡＬ方式が用いられている。また、フランスではテレビシステムとしてＬ方式，カラー方式としてＳＥＣＡＭ方式が用いられている。このため、ワールドワイドで使用できるテレビジョン受信機では、テレビ放送方式が異なる場合であっても放送番組を視聴できるように、テレビ放送方式に応じた設定が自動的に行われている。
【０００３】
このテレビ放送方式に応じた設定は、予めプリセット動作を行うことにより記憶装置に蓄積させたチャネル情報に基づいて行われている。例えば特許文献１に開示されているように、プリセット動作では、Ａ系統チューナを用いて搬送波の強度が最大となる所に選局周波数を固定し、このとき得られた映像中間周波信号や音声中間周波信号に基づきテレビ放送方式が判別される。この選局周波数の情報とテレビ放送方式の情報が、受信チャネルにおける１つのポジションのチャネル情報として記憶装置に蓄積される。また、選局周波数を自動的に切り換えてテレビ放送方式の判別が同様に行われて、ポジション毎のチャネル情報が記憶装置に蓄積される。その後、主画面と副画面でそれぞれ番組を表示するときには、主画面に対応するチャネル情報を記憶装置から読み出して、この読みだしたチャネル情報を用いてＡ系統チューナやＡ系統処理回路を制御して主画面の番組表示が行われる。また、副画面に対応するチャネル情報を記憶装置から読み出して、この読みだしたチャネル情報を用いてＢ系統チューナやＢ系統処理回路を制御して副画面の番組表示が行われる。
【０００４】
【特許文献１】特許第２９０６４６２号明細書
【発明の開示】
【発明が解決しようとする課題】
【０００５】
ところで、上述のようにＡ系統チューナを用いて、選局周波数の検出とテレビ放送方式の判別を順次行うものとすると、プリセット動作の完了までに時間を要してしまう。特に、テレビ放送方式の判別を高精度で行う場合、映像中間周波信号や音声中間周波信号が安定した信号状態となってから判別が行われるので更に時間を要してしまう。
【０００６】
そこで、この発明では、プリセット動作に要する時間を短縮できるプリセット方法と選局装置を提供するものである。
【課題を解決するための手段】
【０００７】
この発明に係るプリセット方法は、複数のテレビ放送方式に対応できる複数の受信手段を用い、この複数の受信手段における何れかの受信手段を制御して選局周波数の検出を行う手順と、複数の受信手段における他の受信手段を制御して検出された選局周波数で受信動作を行い、該検出された選局周波数におけるテレビ放送方式の判別を選局周波数の検出と並行して行う手順と、選局周波数の検出結果と該検出された選局周波数におけるテレビ放送方式の判別結果を対応させて、プリセット情報として記憶手段に記憶させる手順とを有するものである。
【０００８】
また、この発明に係る選局装置は、複数のテレビ放送方式に対応できる複数の受信手段と、テレビ放送方式の判別を行う放送方式判別手段と、複数の受信手段における何れかの受信手段を制御して選局周波数の検出を行う選局周波数検出と、複数の受信手段における他の受信手段を制御して検出された選局周波数で受信動作を行い、該検出された選局周波数におけるテレビ放送方式を放送方式判別手段によって判別するテレビ放送方式判別とを並行して行わせる制御手段と、選局周波数の検出結果と該検出された選局周波数におけるテレビ放送方式の判別結果を対応させて、プリセット情報として記憶する記憶手段を有するものである。
【発明の効果】
【０００９】
この発明によれば、複数のテレビ放送方式に対応できる複数の受信手段の何れかを制御して選局周波数の検出が行われる。また、複数の受信手段における他の受信手段を制御して、検出された選局周波数で受信動作が行われて、この選局周波数におけるテレビ放送方式の判別が選局周波数の検出と並行して行われて、選局周波数の検出結果と検出された選局周波数におけるテレビ放送方式の判別結果が対応されてプリセット情報として記憶される。このため、プリセット動作を効率よく短時間で完了させることができる。
【発明を実施するための最良の形態】
【００１０】
以下、図を参照しながら、この発明の実施の形態について説明する。図１は選局装置の構成を示している。アンテナ１１で受信された放送信号は、分配器１２によって複数の受信手段、例えば第１チューナ１３-1と第２チューナ１３-2に供給される。この複数の受信手段は、受信周波数帯が等しいものであり、いずれかの受信手段で受信された信号は、他の受信手段でも受信可能とされている。
【００１１】
第１チューナ１３-1は、後述する制御部２０からの選局信号ＴＣ-1に基づき局部発振周波数を制御して、選局する信号の周波数を可変する。また選局した信号の周波数を中間周波数に変換して、映像中間周波信号を生成する。さらに、生成した映像中間周波信号を増幅して映像処理部１４-1と音声処理部１５と判別部１７に供給する。また、第１チューナ１３-1は、放送方式で規定されている映像搬送波周波数と映像中間周波信号ＶＩＦ-1から抽出した映像搬送波周波数との誤差に対応した信号レベルの自動微調整信号ＡＦＴ-1を生成して制御部２０に供給する。
【００１２】
映像処理部１４-1は、映像検波を行いカラーテレビ信号を生成する。この生成したカラーテレビ信号を用いて輝度調整やコントラスト調整等の映像処理と色復調等の色再生処理を行い、映像処理後の信号と色再生処理後の信号を用いて表示信号ＤＲ-1を生成して多画面表示処理部１６に供給する。また、映像処理部１４-1は、カラーテレビ信号から同期信号ＳＹＮを分離して判別部１７や制御部２０に供給する。また、映像処理部１４-1は、放送方式判別手段を構成するものであり、生成されたカラーテレビ信号のカラー方式を判別して判別結果を示すカラー方式判別信号ＳＤを制御部２０に供給する。カラー方式の判別は、例えば特開平７−２３４０８号公報に開示されている方法等を用いることにより行うことができる。なお、映像処理部１４-1は、制御部２０から供給された放送方式制御信号ＴＳ-1に基づきテレビ放送方式に応じたフィルタ処理等を行い、テレビ放送方式が異なる場合であっても、正しく表示信号ＤＲ-1を生成する。
【００１３】
音声処理部１５は、制御部２０からの放送方式制御信号ＴＳ-1に基づき、音声検波を行い音声中間周波信号を生成し、この音声中間周波信号をＦＭ検波して音声信号を生成する。また音声処理部１５は、音声信号を所望の信号レベルに増幅して、音声出力信号Ｓoutとして出力する。また音声処理部１５は、生成された音声中間周波信号ＳＩＦを判別部１７に供給する。さらに、音声処理部１５は、制御部２０から供給された放送方式制御信号ＴＳ-1に基づきテレビ放送方式に応じたフィルタ処理を行い、テレビ放送方式が異なる場合であっても、正しく音声出力信号Ｓoutを生成する。
【００１４】
第２チューナ１３-2は、後述する制御部２０からの選局信号ＴＣ-2に基づき局部発振周波数を制御して、選局する信号の周波数を可変する。また選局した信号の周波数を中間周波数に変換して、映像中間周波信号を生成する。さらに、生成した映像中間周波信号を増幅して映像処理部１４-2に供給する。また、第２チューナ１３-2は、放送方式で規定されている映像搬送波周波数と映像中間周波信号ＶＩＦ-2から抽出した映像搬送波周波数との誤差に対応した信号レベルの自動微調整信号ＡＦＴ-2を生成して制御部２０に供給する。
【００１５】
映像処理部１４-2は、映像検波を行いカラーテレビ信号を生成する。この生成したカラーテレビ信号を用いて輝度調整やコントラスト調整等の映像処理と色復調等の色再生処理を行い、映像処理後の信号と色再生処理後の信号を用いて表示信号ＤＲ-2を生成して多画面表示処理部１６に供給する。なお、映像処理部１４-2は、制御部２０から供給された放送方式制御信号ＴＳ-2に基づきテレビ放送方式に応じたフィルタ処理等を行い、テレビ放送方式が異なる場合であっても、正しく表示信号ＤＲ-2を生成する。
【００１６】
多画面表示処理部１６は、制御部２０から供給された表示設定信号ＨＳに基づき、表示モードの切り換えを行う。例えば多画面表示モードに設定されたときには、映像処理部１４-1から供給された表示信号ＤＲ-1と映像処理部１４-2から供給された表示信号ＤＲ-2を用いて、表示信号ＤＲ-1に基づく映像と表示信号ＤＲ-2に基づく映像を一つの画面上に同時に表示する表示出力信号ＤＲoutを生成して出力する。また、１画面表示モードに設定されたときには、映像処理部１４-1から供給された表示信号ＤＲ-1を用いて、この表示信号DR-1に基づく映像のみを画面上に表示する表示出力信号ＤＲoutを生成して出力する。
【００１７】
放送方式判別手段を構成する判別部１７は、映像中間周波信号ＶＩＦ-1や音声中間周波信号ＳＩＦおよび同期信号ＳＹＮに基づいてテレビシステムの判別を行い、判別結果を示すテレビシステム判別信号ＳＥを生成して制御部２０に供給する。例えば、映像中間周波信号ＶＩＦ-1と音声中間周波信号ＳＩＦの周波数の差分に基づいてテレビシステムを検出する。また、判別されたテレビシステムのフィールド周波数と同期信号ＳＹＮに含まれている垂直同期信号の周波数が一致するか否かによって検出結果が正しいか否かを判別し、周波数が一致しないときはテレビシステムの検出を再度行う。なお、テレビシステムの検出は、テレビシステムを順次切り換えてセットしてノイズレベルを検出し、ノイズレベルが最小となるときのテレビシステムを検出結果とすることもできる。
【００１８】
制御部２０には、ユーザインタフェース２１が接続されている。このユーザインタフェース２１は、視聴者が操作を行う操作部や、リモートコントロール信号を受信するコントロール信号受信部等で構成されており、ユーザ操作やリモートコントロール信号に基づいた操作信号ＰＳを生成して制御部２０に供給する。
【００１９】
制御部２０は、マイクロコンピュータ等を用いて構成されており、ユーザインタフェース２１からの操作信号ＰＳや、後述する不揮発性メモリ２２に記憶されているプリセット情報に基づき受信する放送信号の選局周波数に応じた選局信号ＴＣ-1，ＴＣ-2を生成して第１チューナ１３-1や第２チューナ１３-2に供給する。また、プリセット情報ＭＦに基づき受信する放送信号のテレビ放送方式に応じた放送方式制御信号ＴＳ-1，ＴＳ-2を生成して、映像処理部１４-1，１４-2や音声処理部１５に供給する。また、制御部２０は、プリセット動作を実行して、選局周波数の検出や検出された選局周波数におけるテレビ放送方式の判別を並行して行わせる。テレビ放送方式の判別では、検出された選局周波数で受信動作を行ったときに映像処理部１４-1から供給されたカラー方式判別信号ＳＤと、判別部１７から供給されたテレビシステム判別信号ＳＥを、テレビ放送方式の判別結果として用いる。さらに、制御部２０は、検出された選局周波数とテレビ放送方式の判別結果を対応させて、プリセット情報ＭＦとして不揮発性メモリ２２に記憶させる。
【００２０】
不揮発性メモリ２２は、制御部２０で各部の動作を制御するために必要とされる情報等を記憶する。例えば、選局時に用いるプリセット情報ＭＦ、動作終了時に視聴されていたチャネルを示すラストチャネル情報、表示モードや映像および音声に関する設定状態等を示す各種設定情報等を記憶する。
【００２１】
次に、プリセット動作について説明する。図２はプリセット動作を示すフローチャートである。ステップＳＴ１で、制御部２０はパラメータの初期化を行う。このパラメータの初期化では、選局するチャネルを設定するためのパラメータＦsetを最初の選局チャネルの周波数ｆ0に設定する。ここで、周波数ｆ0は、第１チューナ１３-1および第２チューナ１３-2の受信周波数帯で、例えば最も低い周波数とする。また、チャネル番号を示すパラメータＣＨsを「−１」、パラメータＣＨfを「０」に設定し、ラストチャネル番号を示すパラメータＣＨendを、記憶可能なチャネル数の最大値例えば「２５５」に設定する。
【００２２】
ステップＳＴ２で制御部２０は、図３のフローチャートで示す第１タスクを起動する。またステップＳＴ３で制御部２０は、図４のフローチャートで示す第２タスクを起動する。
【００２３】
図３の第１タスクにおいて、ステップＳＴ１１で制御部２０は、パラメータＦsetに基づき選局信号ＴＣ-2を生成して第２チューナ１３-2に供給し、第２チューナ１３-2の選局設定を行う。
【００２４】
ステップＳＴ１２で制御部２０は、所定時間待機して、選局信号ＴＣ-2に基づく受信動作が安定するようになってからステップＳＴ１３に進む。
【００２５】
ステップＳＴ１３で制御部２０は、放送信号が検出された否かを判別して、放送信号が検出されたときにはステップＳＴ１４に進み、放送信号が検出されないときにはステップＳＴ１６に進む。放送信号が検出されたか否かの判別は、映像処理部１４-2から供給された同期信号ＳＹＮや第２チューナ１３-2からの自動微調整信号ＡＦＴ-2を用いて行うことができる。例えば、同期信号ＳＹＮが映像処理部１４-2から供給されたときは放送信号が検出されており、同期信号ＳＹＮが供給されていないときは放送信号が検出されていないと判別する。また、自動微調整信号ＡＦＴ-2によって、放送方式で規定されている映像搬送波周波数と映像中間周波信号ＶＩＦ-2から抽出した映像搬送波周波数との誤差が少ない状態で安定しているときは、放送信号が検出されており、安定していないときは、放送信号が検出されていないと判別する。
【００２６】
ステップＳＴ１４で制御部２０は、パラメータＣＨsに「１」を加算して、加算結果をパラメータＣＨsの新たな値としてステップＳＴ１５に進む。
【００２７】
ステップＳＴ１５で制御部２０は、パラメータＦsetで示された周波数を、パラメータＣＨsが示す値のチャネル番号に対するプリセット情報ＭＦ(CHs)の選局周波数として設定する。さらにプリセット情報ＭＦ(CHs)の選局周波数を不揮発性メモリ２２に記憶させる。
【００２８】
ステップＳＴ１６で制御部２０は、パラメータＦsetが、受信可能な最終チャネルの周波数ｆendであるか否かを判別する。ここで、パラメータＦsetが、最終チャネルの周波数ｆendでないときにはステップＳＴ１７に進む。また、最終チャネルの周波数ｆendであるときは、ステップＳＴ１８に進む。
【００２９】
ステップＳＴ１７で制御部２０は、パラメータＦsetに周波数可変量ｆdを加算して、加算結果をパラメータＦsetの新たな値としてステップＳＴ１１に戻る。
【００３０】
ステップＳＴ１８で制御部２０は、パラメータＦsetが最終チャネルの周波数ｆendとされており、放送信号の検出が最終チャネルまで完了したことから、パラメータＣＨsが示す値をパラメータＣＨendの新たな値として設定して第１タスクを終了する。
【００３１】
図４の第２タスクにおいて制御部２０は、プリセット動作における第２タスクを示すフローチャートである。ステップＳＴ２１で制御部２０は、パラメータＣＨfの値がパラメータＣＨendの値よりも大きいか否かを判別する。ここで、パラメータＣＨfの値がパラメータＣＨendの値よりも大きくないときにはステップＳＴ２２に進み、大きいときには第２タスクを終了する。
【００３２】
ステップＳＴ２２で制御部２０は、パラメータＣＨfの値がパラメータＣＨsの値よりも大きいか否かを判別する。ここで、パラメータＣＨfの値がパラメータＣＨsの値よりも大きいときにはステップＳＴ２１に戻り、大きくないときにはステップＳＴ２３に進む。
【００３３】
ステップＳＴ２３で制御部２０は、プリセット情報ＭＦ(CHf)の選局周波数を不揮発性メモリ２２から読み出して、この読み出した選局周波数の信号を受信するように選局信号ＴＣ-1を生成して第１チューナ１３-1に供給する。
【００３４】
ステップＳＴ２４で制御部２０は、所定時間待機して、選局信号ＴＣ-1に基づく受信動作が安定するようになってからステップＳＴ２５に進む。ステップＳＴ２５で制御部２０は、判別部１７からの方式判別信号ＳＤや映像処理部１４-1からの同期信号ＳＹＮ-1に基づき、放送方式を判別してステップＳＴ２６に進む。
【００３５】
ステップＳＴ２６で制御部２０は、ステップＳＴ２５の判別結果ＤＳを、パラメータＣＨfが示す値のチャネル番号に対するプリセット情報ＭＦ(CHf）のテレビ放送方式として設定する。さらに、プリセット情報ＭＦ(CHf)のテレビ放送方式を不揮発性メモリ２２に記憶させる。このため、不揮発性メモリ２２に記憶されているプリセット情報ＭＦでは、検出された選局周波数と、この選局周波数におけるテレビ放送方式の判別結果が対応されたものとなる。
【００３６】
ステップＳＴ２７で制御部２０は、パラメータＣＨfに「１」を加算して、加算結果をパラメータＣＨfの新たな値としてステップＳＴ２１に戻る。
【００３７】
図５は、プリセット動作を説明するための図であり、図５Ａは第２チューナ１３-2の選局動作、図５Ｂは第１チューナ１３-1の選局動作を示している。また、図５ＣはパラメータＣＨs、図５ＤはパラメータＣＨf、図５ＥはパラメータＣＨendをそれぞれ示している。
【００３８】
時点ｔ0でプリセット動作を開始すると、パラメータＦsetを「ｆ0」に設定する。さらに、第１タスクが起動して、パラメータＦsetに基づいた選局信号ＴＣ-2を生成して第２チューナ１３-2の選局動作を開始する。
【００３９】
時点ｔ0から所定時間経過後に放送信号の検出を行い、放送信号が検出されないときは、パラメータＦsetに周波数可変量ｆdを加算して、加算結果である周波数をパラメータＦsetの新たな値に更新する。また、更新後のパラメータＦsetに基づき選局信号ＴＣ-2を生成して第２チューナ１３-2に供給し、選局動作を行う。
【００４０】
その後、パラメータＦsetを順次更新して放送信号の検出を行い、時点ｔ1で放送信号が検出されたときには、パラメータＣＨsに「１」を加算して、加算結果をパラメータＣＨsの新たな値に設定する。このため、図５Ｃに示すように、パラメータＣＨsの値は、時点ｔ1で「−１」から「０」に更新される。さらに、このときのパラメータＦset（＝ｆ1）がプリセット情報ＭＦ(０）の選局周波数として不揮発性メモリ２２に記憶される。なお、図６は不揮発性メモリ２２に記憶されたプリセット情報を示している。
【００４１】
その後、時点ｔ3で放送信号を検出できたときには、パラメータＣＨsに「１」を加算して、加算結果をパラメータＣＨsの新たな値に設定する。このため、パラメータＣＨsの値は、時点ｔ3で「０」から「１」に更新される。さらに、このときのパラメータＦset（＝ｆ2）がプリセット情報ＭＦ(１）の選局周波数として不揮発性メモリ２２に記憶される。
【００４２】
以下同様にして、放送信号の検出を行い、放送信号が検出されたときパラメータＣＨsの更新や選局周波数を記憶させる。その後、時点ｔ5で放送信号を検出できたときには、パラメータＣＨsに「１」を加算して、加算結果をパラメータＣＨsの新たな値に設定する。このため、パラメータＣＨsの値は、時点ｔ5で「ｎ−２」から「ｎ−１」に更新される。さらに、このときのパラメータＦset（＝ｆn）がプリセット情報ＭＦ(ｎ−１）の選局周波数として不揮発性メモリ２２に記憶される。
【００４３】
パラメータＦsetが「ｆend」に設定されて、時点ｔ7で放送信号の検出が完了すると、パラメータＣＨsの値がパラメータＣＨendの新たな値として設定されたのち第１タスクが終了されて、第２チューナの選局動作が終了される。このため、図５Ｅに示すパラメータＣＨendは、時点ｔ7で「２５５」から「ｎ−１」に更新される。
【００４４】
時点ｔ0で第１タスクが起動されたのち第２タスクが起動されると、パラメータＣＨfがパラメータＣＨsよりも大きくないと判別された時点ｔ1で、プリセット情報ＭＦ(０）で示された選局周波数「ｆ1」で受信動作を行うように選局信号ＴＣ-1が生成されて第１チューナ１３-1に供給される。
【００４５】
時点ｔ1から所定時間後に選局周波数「ｆ1」のチャネルのテレビ放送方式の判別を行い、時点ｔ2で判別が完了したとき、このときの判別結果ＤＳ1がプリセット情報ＭＦ(０）のテレビ放送方式として不揮発性メモリ２２に記憶される。また、パラメータＣＨfの値が「０」から「１」に更新される。
【００４６】
時点ｔ3でパラメータＣＨsが「０」から「１」に更新されて、パラメータＣＨfがパラメータＣＨsよりも大きくないと判別されると、プリセット情報ＭＦ(１）で示された選局周波数「ｆ1」で受信動作を行うように選局信号ＴＣ-1が生成されて第１チューナ１３-1に供給される。
【００４７】
また、時点ｔ3から所定時間後に選局周波数「ｆ2」のチャネルのテレビ放送方式の判別を行い、時点ｔ4で判別が完了したとき、このときの判別結果ＤＳ2がプリセット情報ＭＦ(１）のテレビ放送方式として不揮発性メモリ２２に記憶される。また、パラメータＣＨfの値が「１」から「２」に更新される。
【００４８】
以下同様に処理されて、不揮発性メモリ２２に記憶されているプリセット情報ＭＦ(CHs)によって示された選局周波数で放送信号が受信されて、テレビ放送方式の判別結果ＤＳが対応するプリセット情報ＭＦ(CHs)に記憶される。例えば時点ｔ5から所定時間経過後に選局周波数「ｆn」のチャネルのテレビ放送方式の判別を行い、時点ｔ6で判別が完了したとき、このときの判別結果ＤＳnがプリセット情報ＭＦ(n-1）のテレビ放送方式として不揮発性メモリ２２に記憶される。また、パラメータＣＨfの値が「ｎ−１」から「ｎ」に更新される。
【００４９】
時点ｔ7で放送信号の検出が完了して、パラメータＣＨendが「２５５」から「ｎ−１」に更新されると、パラメータＣＨfがパラメータＣＨendよりも大きくなることから第２タスクが終了されて、第１チューナの選局動作が終了される。
【００５０】
このように、第２チューナを用いて放送信号の選局周波数の検出を行い、検出された選局周波数をチャネル毎のプリセット情報ＭＦとして不揮発性メモリ２２に記憶させる。また、記憶された選局周波数のチャネルに対するテレビ放送方式の判別は、第１チューナを用いて選局周波数の検出と並行して行う。
【００５１】
このように、選局周波数の検出とテレビ放送方式の判別が異なるチューナを用いて並行して行われるので、プリセット動作を自動的に効率よく短時間で完了させることができる。
【００５２】
なお、上述の形態では２つのチューナを用いて選局周波数の検出とテレビ放送方式の判別を並行して行う場合を示したが、３つ以上のチューナを用いる場合は、選局周波数の検出を複数のチューナで分担して行うものとしたり、テレビ放送方式の判別を複数のチューナで分担して行うものとすれば、さらに効率よくプリセット動作を行うことができる。例えば、３つのチューナを用いてプリセット動作を行う場合、テレビ放送方式の判別に要する時間が長いときには、１つのチューナで選局周波数の検出を行い、２つのチューナでテレビ放送方式判別を行う。ここで、２つのチューナでテレビ放送方式の判別を行うときには、各チューナで異なる選局周波数のチャネルに対してテレビ放送方式の判別を行う。また、選局周波数の検出に要する時間が長いときには、２つのチューナで選局周波数の検出を行い、１つのチューナでテレビ放送方式判別を行う。ここで、２つのチューナで選局周波数の検出を行うときには、各チューナが異なる周波数で選局動作を行うように制御する。例えば、一方のチューナでは、チューナの受信周波数帯で最も低い周波数から選局周波数の検出を行い、他方のチューナでは受信周波数帯で最も高い周波数から選局周波数の検出を行う。このように、３つ以上のチューナを用いる場合であっても、各チューナを並行して動作させて選局周波数の検出とテレビ放送方式の判別を行うことにより、プリセット動作を自動的に更に効率よく短時間で完了させることができる。
【産業上の利用可能性】
【００５３】
以上のように、本発明にかかるチャネルプリセット方法と選局装置は、複数の受信手段を有した機器において有用であり、例えばワールドワイドで使用できるテレビジョン受信機に好適である。
【図面の簡単な説明】
【００５４】
【図１】選局装置の構成を示す図である。
【図２】プリセット動作を示すフローチャートである。
【図３】第１タスクを示すフローチャートである。
【図４】第２タスクを示すフローチャートである。
【図５】プリセット動作を説明するための図である。
【図６】プリセット情報を示す図である。
【符号の説明】
【００５５】
１１・・・アンテナ、１２・・・分配器、１３-1・・・第１チューナ、１３-2・・・第２チューナ、１４-1，１４-2・・・映像処理部、１５・・・音声処理部、１６・・・多画面表示処理部、１７・・・判別部、２０・・・制御部、２１・・・ユーザインタフェース、２２・・・不揮発性メモリ
【図１】
0004626178.tif 000002
【図２】
0004626178.tif 000003
【図３】
0004626178.tif 000004
【図４】
0004626178.tif 000005
【図５】
0004626178.tif 000006
【図６】
0004626178.tif 000007